【手続補正書】
【提出日】平成20年4月18日(2008.4.18)
【手続補正１】
【補正対象書類名】明細書
【補正対象項目名】特許請求の範囲
【補正方法】変更
【補正の内容】
【特許請求の範囲】
【請求項１】  以下の式：
ＣＦＸ＝ＣＸＯＣＦ2ＯＲ      （Ｉ）
［式中、ＲはＣ2〜Ｃ6直鎖状もしくは分岐状あるいはＣ5〜Ｃ6環状（ペル）フルオロアルキル基、または１〜３の酸素原子を含むＣ2〜Ｃ6直鎖状もしくは分岐状（ペル）フルオロオキシアルキル基であり；Ｒが上で定義したフルオロアルキルまたはフルオロオキシアルキル基であるとき、以下：Ｈ、Ｃｌ、Ｂｒ、Ｉから選択され、互いに等しくまたは異なる１〜２の原子を含むことができる；Ｘ＝Ｆ、Ｈである］
を有するフルオロビニルエーテル。
【請求項２】  式：
ＣＦＸ＝ＣＸＯＣＦ2ＯＣＦ2ＣＦ2Ｙ      （ＩＩ）
［式中、Ｙ＝Ｆ、ＯＣＦ3；Ｘは上記のとおりである］
を有する請求項１によるフルオロビニルエーテル。
【請求項３】  式：
ＣＦ2＝ＣＦＯＣＦ2ＯＣＦ2ＣＦ2Ｙ      （ＩＩＩ）
［式中、Ｙは上記のとおりである］
を有する請求項１または２によるフルオロビニルエーテル。
【請求項４】  式：
ＣＦ2＝ＣＦＯＣＦ2ＯＣＦ2ＣＦ3      （ＩＶ）
を有する請求項１〜３のいずれか１つによるフルオロビニルエーテル。
【請求項５】  少なくとも１つの別の重合性モノマーと、請求項１〜４のいずれか１つによるフルオロビニルエーテルを重合することにより得られうるホモポリマーを含むポリマー。
【請求項６】  コモノマーが、任意に水素および／または塩素および／または臭素および／またはヨウ素および／または酸素を含む、重合性二重結合Ｃ＝Ｃを少なくとも１つ有するフッ素化された化合物である請求項５によるコポリマー。
【請求項７】  任意の共重合性コモノマーが、フッ素化されていないオレフィンＣ2〜Ｃ8である請求項５または６によるコポリマー。
【請求項８】  コモノマーが以下：
−  Ｃ2〜Ｃ8ペルフルオロオレフィン、好ましくはテトラフルオロエチレン（ＴＦＥ）、ヘキサフルオロプロペン（ＨＥＰ）、ヘキサフルオロイソブテン；
−  Ｃ2〜Ｃ8水素化フルオロオレフィン、好ましくはフッ化ビニル（ＶＦ）、フッ化ビニリデン（ＶＤＦ）、トリフルオロエチレン、ＣＨ2＝ＣＨ−Ｒ2fペルフルオロアルキルエチレン［式中、Ｒ2fはＣ1〜Ｃ6ペルフルオロアルキルである］；
−  Ｃ2〜Ｃ8クロロ−および／またはブロモ−および／またはヨード−フルオロオレフィン、好ましくはクロロトリフルオロエチレン（ＣＴＦＥ）およびブロモトリフルオロエチレン；
−  ＣＦ2＝ＣＦＯＲ2f（ペル）フルオロアルキルビニルエーテル（ＰＡＶＥ）［式中、Ｒ2fはＣ1〜Ｃ6（ペル）フルオロアルキル、好ましくはトリフルオロメチル、ブロモジフルオロメチルまたはヘプタフルオロプロピルである］；
−  ＣＦ2＝ＣＦＯＸa（ペル）フルオロ−オキシアルキルビニルエーテル［式中、Ｘaは：１以上のエーテル基を有する、Ｃ1〜Ｃ12アルキル、またはＣ1〜Ｃ12オキシアルキル、またはＣ1〜Ｃ12（ペル）フルオロオキシアルキル、好ましくはペルフルオロ−２−プロポキシプロピルである］；
−  構造ＣＦ2＝ＣＦＯＸbＳＯ2Ｆ［式中、Ｘb＝ＣＦ2ＣＦ2、ＣＦ2ＣＦ2ＣＦ2、ＣＦ2ＣＦ（ＣＦ2Ｘc）［ここで、Ｘc＝Ｆ、Ｃｌ、Ｂｒ］］を有するスルホン酸系モノマー
から選択される請求項５〜７のいずれか１つによるコポリマー。
【請求項９】  （ペル）フルオロポリマーが、結晶ゾーンを形成させる量の請求項１〜４のいずれか１つによるビニルエーテルの量を含むために、プラストマーのものである請求項５〜８のいずれか１つによるポリマー。
【請求項１０】  （ペル）フルオロポリマーが、非晶質ポリマーを得る、すなわち結晶ゾーンの消失を引き起こすような量の請求項１〜４のいずれか１つによるビニルエーテルを含むために、エラストマーのものである請求項５〜８のいずれか１つによるポリマー。
【請求項１１】  請求項１〜４のいずれか１つによるビニルエーテルの量が、約１５〜２０モル％の範囲である請求項１０によるポリマー。
【請求項１２】  反応式：
【化１】
2001354720.tif 000001
［式中、
化合物（ＶＩＩ）中、
Ｒ1、Ｒ4は同一または異なって、Ｈ、Ｆであり；Ｒ2、Ｒ3は同一または異なって、Ｈ、Ｃｌであり、以下の条件下：
（１）最終反応が脱ハロゲン化のときＲ2、Ｒ3＝Ｃｌであり、
（２）最終反応が脱ハロゲン化水素のとき、Ｒ2、Ｒ3の２つの置換基の一つがＨであり、他がＣｌである；
Ｒ5、Ｒ6、Ｒ7、Ｒ8は：
−  Ｆ、またはそれらの一つはＣ1〜Ｃ4直鎖状もしくは分岐状ペルフルオロアルキル基または１〜３の酸素原子を含むＣ1〜Ｃ4直鎖状もしくは分岐状ペルフルオロオキシアルキル基であるか、または
Ｒ5およびＲ7、またはＲ6およびＲ8は、互いに結合してＣ2およびＣ1と共にＣ5〜Ｃ6環状ペルフルオロアルキル基を形成し；
−  Ｒ5〜Ｒ8基の一つがＣ2〜Ｃ4直鎖状もしくは分岐状フルオロアルキルであるとき、または１〜３の酸素原子を含むＣ2〜Ｃ4直鎖状もしくは分岐状フルオロオキシアルキル基であるとき、他のＲ5〜Ｒ8の１または２は、Ｆであり、残りの１または２は同一または互いに異なって、Ｈ、Ｃｌ、Ｂｒ、ヨウ素から選択され；Ｈ、Ｃｌ、Ｂｒ、ヨウ素から選択される置換基が２つであるとき、それらは両方とも同じ炭素原子に結合し；Ｒ5およびＲ7、またはＲ6およびＲ8は、互いに結合してＣ2およびＣ1と共にＣ5〜Ｃ6環状フルオロアルキル基を形成し、２つの遊離置換基Ｒ6、Ｒ8またはＲ5、Ｒ7の一つは、Ｆであり、他はＨ、Ｃｌ、Ｂｒ、ヨウ素から選択される；
−  反応ａ）で用いられるフルオロアルケンは、その後の反応ｂ）のものと置き換えることができる；この場合、Ｒ1〜Ｒ4基、およびＲ5〜Ｒ8基のそれぞれの置換基で定義された意味は、互いに相互交換可能であり、ただし、中間化合物（ＶＩＩ）の鎖上の−ＯＣＦ2Ｏ−に関する各２つの基Ｒ1〜Ｒ4およびＲ5〜Ｒ8の各基の位置は、上記反応式に従い合成が起こり、２つのオレフィンが互いに反応すると占める位置と同一である］
に従い、
式Ｒ1Ｒ2Ｃ＝ＣＲ3Ｒ4を有するフッ素化オレフィンとのハイポフルオライトＣＦ2（ＯＦ）2の最初の反応で中間体のハイポフルオライトＦ−ＣＲ1Ｒ2−ＣＲ3Ｒ4−ＯＣＦ2ＯＦを得、
この化合物と式Ｒ5Ｒ6Ｃ＝ＣＲ7Ｒ8の第二のフッ素化オレフィンとの続く反応で中間体Ｆ−ＣＲ1Ｒ2−ＣＲ3Ｒ4−ＯＣＦ2Ｏ−ＣＲ5Ｒ6−ＣＲ7Ｒ8−Ｆを得、
それを続く脱ハロゲン化または脱ハロゲン化水素により、新しいペルフルオロビニルエーテルを得ることからなる請求項１〜４のいずれか１つによる（ペル）フルオロビニルエーテルの製造法。
【請求項１３】  工程ａ）において、反応物がほぼ単位モル比か、ＣＦ2（ＯＦ）2が過剰で存在し、反応器中の混合物の滞留時間が１００分の２，３秒〜約１２０秒の範囲であり、反応温度が−４０〜−１５０℃であり、化合物（ＶＩ）が分離されず、連続的な方法で工程ｂ）の反応に移される請求項１２による方法。
【請求項１４】  工程ｂ）において純粋な状態または溶液中でＲ5Ｒ6Ｃ＝ＣＲ7Ｒ8オレフィンが、最初の反応で得られた生成物と反応して化合物（ＶＩＩ）を形成し；
オレフィンが連続的に供給され、反応器中でその濃度が一定に維持され；
反応ｂ）の温度が−５０〜−１３０℃、好ましくは−２０〜−１００℃の範囲であり、オレフィンの濃度が０．０１Ｍに等しいかまたはそれ以上であり、好ましくは濃度は３Ｍより高く、より好ましくは純粋な化合物を用いることができる請求項１２または１３による方法。
【請求項１５】  工程ｃ）において、化合物（ＶＩＩ）が、工程ａ）およびｂ）において用いるオレフィンに依存し、未処理の反応材料から蒸留後に、脱塩素または脱塩化水素に付して式（Ｉ）のビニルエーテルを得る請求項１２または１４による方法。
【請求項１６】  化合物（ＶＩＩＩ）が、
式Ｘ1Ｘ2Ｃ（ＯＦ）2
［式中、Ｘ1およびＸ2は同一または異なってＦ、ＣＦ3である］
のハイポフルオライトと、式ＲA1ＲA2Ｃ＝ＣＲA3ＲA4およびＲA5ＲA6Ｃ＝ＣＲA7ＲA8のそれぞれ
［式中、ＲA1〜ＲA8は同一または異なって、Ｆ、Ｈ、Ｃｌ、Ｂｒ、Ｉ、−ＣＦ2ＯＳＯ2Ｆ、−ＳＯ2Ｆ、−ＣＯＦ、Ｃ1〜Ｃ5直鎖状もしくは分岐鎖状のペルフルオロアルキルまたはオキシペルフルオロアルキル基である］
の２つのフルオロアルケンとの反応により得られうる請求項１２〜１５のいずれか１つによる（ペル）フルオロビニルエーテルの製造法。